(57)【要約】      （修正有）【課題】消臭効果を有するペット用毛布を提供する。【解決手段】ペット用毛布１は、下側の表生地２と上側の表生地３の間に、中綿４と活性炭シート５とを挿入した状態で、両表生地２、３の周縁がバイアステープ６により止められた構成となっている。したがって、本実施形態のペット用毛布１にあっては、ペット用毛布１に付着した動物臭を活性炭シート５が消臭することになる。また、活性炭シート５が表生地２、３で覆われているので、美観を損なうことがなく、また、内部に設けた中綿４により温かい毛布にすることができる。【選択図】図１
0003135339.tif 000002
【実用新案登録請求の範囲】
【請求項１】
活性炭を有するシートが内部に設けられたペット用毛布。
【請求項２】
請求項１に記載のペット用毛布において、
前記シートの表裏面が、表生地で覆われていることを特徴とするペット用毛布。
【請求項３】
請求項２に記載のペット用毛布において、
内部に前記シートの他に、中綿が設けられていることを特徴とするペット用毛布。
【請求項４】
請求項２または３に記載のペット用毛布において、
表裏両側の表生地の周縁が、バイアステープで止められていることを特徴とするペット用毛布。
【請求項５】
請求項１乃至４のいずれかに記載のペット用毛布において、
前記シートは、不織布に活性炭が貼着されたものであることを特徴とするペット用毛布。
【考案の詳細な説明】
【技術分野】
【０００１】
本考案は、猫や犬などのペットに用いるペット用毛布に関する。
【背景技術】
【０００２】
上述したペット用毛布としては、ペットが噛んだりする等の使用状況から消耗が激しいために、安価なものを取り替えて使用することが多く、付加価値を組み込んだものは少ない。
【考案の開示】
【考案が解決しようとする課題】
【０００３】
しかしながら、動物臭を嫌う人にとっては、ペット用毛布から発せられる臭いに耐え難い場合があり、改善の余地がある。
【０００４】
本考案は、このような従来技術の課題に鑑みてなされたもので、消臭効果を有するペット用毛布を提供することを目的とする。
【課題を解決するための手段】
【０００５】
本考案のペット用毛布は、活性炭を有するシートが内部に設けられたことを特徴とする。
【０００６】
また、請求項２のペット用毛布は、請求項１に記載のペット用毛布において、前記シートの表裏面が、表生地で覆われていることを特徴とする。
【０００７】
また、請求項３のペット用毛布は、請求項２に記載のペット用毛布において、内部に前記シートの他に、中綿が設けられていることを特徴とする。
【０００８】
また、請求項４のペット用毛布は、請求項２または３に記載のペット用毛布において、表裏両側の表生地の周縁が、バイアステープで止められていることを特徴とする。
【０００９】
また、請求項５のペット用毛布は、請求項１乃至４のいずれかに記載のペット用毛布において、前記シートは、不織布に活性炭が貼着されたものであることを特徴とする。
【考案の効果】
【００１０】
本考案のペット用毛布による場合には、ペット用毛布に付着する動物臭を活性炭が消臭することになる。
【００１１】
請求項２のペット用毛布による場合には、活性炭シートが表生地で覆われているので、美観を損なうことがない。
【００１２】
請求項３のペット用毛布による場合には、内部に設けた中綿により温かい毛布にすることができる。
【００１３】
請求項４のペット用毛布による場合には、表裏両側の表生地の間に、活性炭シートなどを入れ、両表生地の周縁をバイアステープで止めることで製造することができ、安価なものを提供することができる。
【００１４】
請求項５のペット用毛布による場合には、不織布に活性炭が貼着された市販の活性炭シートを用いることで、安価なものにできる。
【考案を実施するための最良の形態】
【００１５】
以下に、本考案を具体的に説明する。
【００１６】
図１は本考案の一実施形態に係るペット用毛布を示す外観斜視図であり、図２は図１のII−II線による断面図で、図３は図１のペット用毛布を示す分解斜視図である。なお、図３においてはバイアステープを省略して表している。
【００１７】
このペット用毛布１は、下側の表生地２と上側の表生地３の間に、中綿４と活性炭シート５とを挿入した状態で、両表生地２、３の周縁がバイアステープ６により止められた構成となっている。
【００１８】
表生地２、３としては、任意の生地を使用することが可能であるが、使用条件を考えると、強度的に強い生地が好ましい。
【００１９】
中綿４は、ペット用毛布の使用時期や使用地域などを考慮して量を決めることが好ましく、省略してもよい。
【００２０】
活性炭シート５は、例えばヤシガラ活性炭等の紛状または粒状のものを不織布に貼付したもので、市販されたものを使用できる。
【００２１】
バイアステープ６は、本実施形態では両折タイプのものを使用している。
【００２２】
次に、このペット用毛布１の製造内容につき説明する。
【００２３】
まず、矩形状をした下側の表生地２の上に、矩形シート状に延ばした中綿４を重ねる。続いて、その中綿４の上に、矩形状をした活性炭シート５を重ねる。
【００２４】
次に、活性炭シート５の上に上側の表生地３を重ね、両表生地２、３の周縁を合わせて、その周縁に沿ってバイアステープ６を縫製する。これによりペット用毛布１が製造される。
【００２５】
したがって、本実施形態のペット用毛布１にあっては、ペット用毛布１に付着した動物臭を活性炭シート５が消臭することになる。また、活性炭シート５が表生地２、３で覆われているので、美観を損なうことがなく、また、内部に設けた中綿４により温かい毛布にすることができる。更に、表裏両側の表生地２、３の間に、中綿４および活性炭シート５を入れ、両表生地２、３の周縁をバイアステープ６を介した縫製により止めることで製造することができ、安価なものを提供することができる。加えて、市販の活性炭シート５を用いることで、より安価なものにできる。
【００２６】
なお、上述した実施形態では両折タイプのバイアステープ６を使用し、これを表生地２、３の周縁に縫製して、表生地２、３の周縁を止めるようにしているが、本考案はこれに限らない。例えば、アイロン接着タイプのバイアステープを用いてもよく、バイアステープにレースが縫い付けたものなどが使用できる。或いは、このようなバイアステープに代えて、帯状のシートを用いて表生地２、３の周縁に縫製してもよく、或いは、バイアステープや帯状のシートを用いることなく、表生地２、３の周縁を直接に縫製してもよい。
【００２７】
また、上述した実施形態では矩形形状のペット用毛布を例に挙げているが、本考案はこれに限らず、正方形状や円形状のものであってもよい。
【００２８】
更に、本考案のペット用毛布は、消臭効果だけでなく、他の機能を更に付加した構成としてもよい。例えば、表生地２、３に菌の増殖を抑制する抗菌加工や制菌加工を施したものを使用したり、或いは毛布の内部に抗菌や制菌作用を有するものを入れたりしてもよい。
【図面の簡単な説明】
【００２９】
【図１】本考案の一実施形態に係るペット用毛布を示す外観斜視図である。
【図２】図１のII−II線による断面図である。
【図３】図１のペット用毛布を示す分解斜視図である。
【符号の説明】
【００３０】
１    ペット用毛布
２、３    表生地
４    中綿
５    活性炭シート
６    バイアステープ
【図１】
0003135339.tif 000003
【図２】
0003135339.tif 000004
【図３】
0003135339.tif 000005